(57)【要約】      （修正有）【課題】ペット用ハーネスの機能を確保しつつ、ファッション性を高めたリバーシブル仕様のベストタイプハーネスを提供する。【解決手段】本考案のベストタイプハーネス１は、異なる意匠を有する表地１１Ａと裏地１１Ｂを重ねてその縁周部１５を引張力のある素材で縫合したハーネス本体１０に、表（Ａ）裏（Ｂ）いずれの側からでもリードが接続可能なリード係合部２０を有することにより、リバーシブルで利用可能なベストタイプハーネス１を提供する。また、ハーネス本体１０にギャザー部を設け、ペットへの密着性を高めている。【選択図】図１
0003204215.tif 000002
【実用新案登録請求の範囲】
【請求項１】
ペット用のベストタイプハーネスにおいて、異なる意匠を有する表地と裏地を重ねて縁周部を引張力のある素材で縫合したハーネス本体に、表裏いずれの側からでもリードが接続可能なリード係合部を有するリバーシブル仕様を特徴とするベストタイプハーネス。
【請求項２】
前記ハーネス本体にギャザー部を設けたことを特徴とする請求項1記載のベストタイプハーネス
【考案の詳細な説明】
【技術分野】
【０００１】
本考案は、リバーシブルで使用可能なペット用のベストタイプハーネスに関するものである。
【背景技術】
【０００２】
ベストタイプハーネスはベルトタイプのハーネスに比べ、そのペットへの密着性の良さから、当初筋力や視力の低下、負傷等によって歩行が困難になったペットの歩行をサポートする（特許文献１）ものや、ペットを自動車に載せる際の安全ベルトとなるペット用セフティベスト（特許文献２）など特殊な目的での使用が提案され、その後、ベルトタイプハーネスの代わりに、散歩に便利なペット用ハーネス（特許文献３）へと目的が変化し、最近ではベストタイプハーネスの機能性を追求してより密着性、優しい密着感が得られるもの（特許文献４）等が提案されている。また、小形ペット用などでは、ハーネスとしての主要な機能であるペットを繋ぎ止め、ペットが激しく動いたりするときのペットに掛かるテンションを和らげる能力よりもよりデザイン性を重視したハーネスが多くなっている。
【０００３】
そこで、ベストタイプハーネスをリバーシブル仕様にすると更にファッションのバリエーションが広がると考えられる。例えば、朝夕の散歩や旅行の際などシュチエーションに応じて表裏を着せ替えるとファッションのバリエーションを広げることができる。
【先行技術文献】
【特許文献】
【０００４】
【特許文献１】特開２００７−１５９７７０号公報
【特許文献２】実用新案登録第３１３２０７７号公報
【特許文献３】特開２００９−２３２８３４号公報
【特許文献４】特開２０１３−１１８８２７号公報
【考案の概要】
【考案が解決しようとする課題】
【０００５】
本考案は、従来のハーネスの機能を確保しつつ、ベストタイプハーネスのファッション性を高めたリバーシブル仕様のベストタイプハーネスを提供するものである。
【課題を解決するための手段】
【０００６】
本考案は、異なる意匠を有する表地と裏地を重ねて縁周部を引張力ある素材で縫合したハーネス本体に、表裏いずれの側からでもリードが接続できるリード係合部を有することにより、リバーシブルで利用可能なベストタイプハーネスを提供する。
【０００７】
また、ペットへの密着性を高めるため前記ハーネス本体にギャザー部を設けたことを特徴とする。
【考案の効果】
【０００８】
本考案のベストタイプハーネスは、ハーネスの機能であるペットを繋ぎ止め、ペットが激しく動いたりするときのペットに掛かるテンションを和らげる能力を維持しつつ、朝夕の散歩や旅行の際にシュチエーションに応じて表裏着せ替えができるリバーシブル仕様とすることによりファッション性を高めることができる。
【図面の簡単な説明】
【０００９】
【図１】図１は本考案の実施例の一形態であるベストタイプハーネスの表裏を表した全体図であって、（ａ）は表面図、（ｂ）は裏面図である。
【図２】図２は本考案のベストタイプハーネスをペットに着用させたときのイメージ図である。
【図３】図３は本考案のベストタイプハーネスのリード係合部の構造を示した説明図であって（ａ）はリード係合部を表し、（ｂ）は（ａ）のＡ―Ａ断面図ある。
【図４】図４は本考案のベストタイプハーネスをペットへ装着したときの密着性を高めるためのギャザー部の構造を示した説明図であって、（ａ）は中央部のギャザーを、（ｂ）は左側のギャザーを、（ｃ）は右側のギャザーの構造の断面を表している。
【考案を実施するための形態】
【００１０】
ベストタイプハーネスをリバーシブル仕様とするためには、（１）一般的に表地は意匠性や耐久性など外的要素が要求され、裏地には肌触りなどの内的要素が要求されるので表裏逆に使用しても両要素が満たされること、（２）表裏逆にしてもペットに着用させてリードを正しく取り付けることができること、かつ（３）ハーネスの機能であるペットを繋ぎ止め、ペットが激しく動いたりするときのペットに掛かるテンションを和らげる能力を損ねないことも必要である。
【００１１】
図１は、本考案のリバーシブル仕様のベストタイプハーネス１の全体的な形態を表したものである。また、図２は、本考案のベストタイプハーネス１をペットに着用させたときのイメージ図である。本考案のベストタイプハーネスのある面を仮に表面（Ａ）と呼び、他の面を裏面（Ｂ）と呼ぶことにすると、表面（Ａ）と裏面（Ｂ）の形態はバックル３０のバックル凸部３１とバックル凹部３２が左右逆になっている以外は全く同一の形態となっている。ハーネス本体１０は前足を挿入するための前足挿入孔１２が２つと、ハーネス本体１０をペットに着脱自在に密着して装着するための面ファスナ１３Ａ、１３Ｂが取り付けられている。ハーネス本体１０は意匠の異なる表地１１Ａと裏地１１Ｂの縁周部１５をテンションに強い素材で縫合している。表地１１Ａと裏地１１Ｂはある程度の柔らかさがあればよく織物、皮、メッシュ布などいかなるものでもよい。周縁部１５はリードで使用されるようなテンションに強いものが望まれ、編み物、織物、革、人工皮革などが好ましい。
【００１２】
しかし、ペットに最も触れるのが縁周部１５であるため、上記のテンションに強い素材を柔らかな布や毛などで覆って縫合することより、表地１１Ａの持つ外的要素が裏地１１Ｂとなっても、ペットに直接接触する部分がほとんど縁周部１５に限定されるため、（１）の問題の解決を図ることができる。なお、縁周部の首回り１５ａ、胴回り１５ｂ及び足回り１５ｃを異なるデザインとして上記の縫合をするとより一層デザイン性を高めることができる。
【００１３】
また、縁周部１５をテンションに強い素材とすることで、（３）のハーネスの機能であるペットを繋ぎ止め、ペットが激しく動いたりするときのペットに掛かるテンションを和らげる能力の維持を図ることができる。ただし、小形のペットなどでテンションの強い素材が要求されない場合は、縁周部１５を柔らかい布や毛のみで縫合してもよい。
【００１４】
図３は、リード係合部２０の構造を示したものである。
リード係合部２０は、表面（Ａ）と表面（Ｂ）が同一の形態になるように、図３の断面図（ｂ）に示すように、ハーネス本体１０とリード係合部２０との取付部２３はリード係合ベルト２１で縁周部首回り１５ａを挟み込み、ハーネス本体１０を縫製して取り付ける。リード４０との連結は、表面（Ａ）はリング３３Ａにより、裏面（Ｂ）はリング３３Ｂにより連結する。バックル３０はペットを自由に運動させるためリードを外した場合でもリード係合部２０を固定させるためのものであり、リード係合ベルト２１のベルト縫製部２２までを自由に動くように取り付ける。これによって、表面（Ａ）から裏面（Ｂ）に着せ替えた場合、リング３３Ａから３３Ｂにスムースに移行して、リード４０を取り付けることができ、(２)の表裏逆にしてもペットに着用させてリードを正しく取り付けることができる。
【００１５】
上記実施例により、リバーシブル仕様とするための課題である上記三つの条件がクリアされる。なお、リード係合部２０の構造は本実施例に限られないが、いずれにしても、条件（２）をクリアする必要がある。
【００１６】
図４は、ギャザー部１４のギャザーの構造を表している。
ペットの首回の密着性を良好にするために、ハーネスにクッションゴム等の伸縮部を設ける構造をとっているものもある。本考案の場合、縁周部１５に強度を持たせているために、クッションゴム等の別材による伸縮部を設ける方法では強度の確保の面で難点がある。そこで、図５に示すようなギャザーを縁周部首回り１５ａに３か所設け、場合によっては縁周部胴回り１５ｂに数か所挿入することにしている。これにより、ペットへの密着性を良好にし、かつ強度を保つことができ、またリバーシブルにも対応できる。
【産業上の利用可能性】
【００１７】
本考案のベストタイプハーネスは、当初はペットの介護用や自動車のペット用安全ベルトなどの特殊な目的の利用から始まり、現在ではデザイン性のあるもの、よりファッション性のあるものへとニーズが高まってきている。このような状況下で、ハーネスの機能であるペットを繋ぎ止め、ペットが激しく動いたりするときのペットに掛かるテンションを和らげる能力を維持しつつ、朝夕の散歩や旅行の際にシュチエーションに応じて表裏着せ替えができるリバーシブル仕様とすることは、より現代的ニーズに応えることとなり、多大の効果が期待できる。
【符号の説明】
【００１８】
１    ベストタイプハーネス
１０  ハーネス本体
１３  面ファスナ
１４  ギャザー部
１５  縁周部
２０  リード係合部
３０  バックル
４０  リード
【図１】
0003204215.tif 000003
【図２】
0003204215.tif 000004
【図３】
0003204215.tif 000005
【図４】
0003204215.tif 000006